(57)【要約】【課題】  前処理体及び整畦体により形成された畦の底部片側に沿ってできた溝に土を供給し、圃場に湛水したとき、畦の底部に水が浸入して畦が溝側に崩れるのを防止する。【解決手段】  畦塗り機１の機体の後方側に、前処理体８及び整畦体９により形成された畦の底部に向け土を供給する土供給装置１８，２２，２３，２４を配設した。土供給装置を、土を畦の底部に向け寄せる排土板２２，２３とした。土供給装置を、耕耘した土を畦の底部に供給する耕耘部１８，２４とした。土供給装置１８，２２，２３，２４を、上下調節装置１８ａ，２２ａ，２３ａ，２４ａにより上下調節可能とした。【選択図】図１
2005065655.tif 000002
【特許請求の範囲】
【請求項１】
走行機体に装着され、該走行機体から動力を受けて作動する作業部を設け、該作業部は一つの機体に、元畦の一部及び圃場を耕耘して元畦側に畦状に盛り上げる前処理体と、該前処理体により盛り上げられた土壌を回転しながら畦に成形するドラム状の整畦体と、を備えた畦塗り機において、
前記機体の後方側に、前処理体及び整畦体により形成された畦の底部に土を供給する土供給装置を配設したことを特徴とする畦塗り機。
【請求項２】
前記土供給装置を、土を畦の底部に向け寄せる排土板としたことを特徴とする請求項１記載の畦塗り機。
【請求項３】
前記土供給装置を、耕耘した土を畦の底部に供給する耕耘部としたことを特徴とする請求項１記載の畦塗り機。
【請求項４】
前記土供給装置を、上下調節可能としたことを特徴とする請求項１、２又は３記載の畦塗り機。
【発明の詳細な説明】
【技術分野】
【０００１】
本発明は、前処理体及び整畦体により形成された畦の底部片側に沿ってできた溝に土を供給し、圃場に湛水したとき、畦の底部に水が浸入して畦が溝側に崩れるのを防止する土供給装置を備えた畦塗り機に関する。
【背景技術】
【０００２】
従来、走行機体に装着され、該走行機体から動力を受けて作動する作業部を設け、該作業部は一つの機体に、元畦の一部及び圃場を耕耘して元畦側に畦状に盛り上げる前処理体と、該前処理体により盛り上げられた土壌を回転しながら畦に成形するドラム状の整畦体と、を備えた畦塗り機が、特許文献１により提案されている。
【０００３】
上記先行技術の畦塗り機においては、前処理体により元畦の一部及び圃場を耕耘して元畦側に畦状に盛り上げ、該前処理体により盛り上げられた土壌を、ドラム状の整畦体が回転しながら畦に成形している。この成形された畦の底部一側に沿って、前処理体により耕耘されて元畦側に盛り上げられた土壌の掘り上げ溝（窪み）が連続して形成されており、畦成形後に圃場に湛水すると、その水が畦の底部内に浸入して畦が溝側に崩れ易くなっている。
【０００４】
【特許文献１】特開平６−２２６０４号
【発明の開示】
【発明が解決しようとする課題】
【０００５】
上記従来の畦塗り機により形成された畦は、前処理体により元畦の一部と共に圃場を耕耘して元畦側に畦状に盛り上げ、その盛り上げられた土壌を整畦体により畦に成形しているので、完成した畦の底部の片側に沿って連続した溝が形成されることになり、圃場に湛水したときにその水が畦の底部内に浸入した際、畦の底部が溝側に崩れ易くなっている、という問題点があった。また、特許文献１以降に開発された畦塗り機において、前処理体及び整畦体を、走行機体に対して前進作業位置から水平回動及び水平移動させて後進作業位置とし、機体を後進させながら圃場全体の整畦作業を行うようにしたものがあり、その場合、走行機体の片側の車輪が前記溝に落ち込んで傾斜した状態で走行することになって精度の良い整畦作業が行えなくなる、といった問題点もあった。
【０００６】
本発明は、上記の問題点を解決することを目的になされたもので、前処理体及び整畦体により形成された畦の底部、及びその一側に沿ってできた溝に対して土を供給し、圃場に湛水したとき、畦の底部に水が浸入し難くして畦が崩れるのを防止し、また、前処理体及び整畦体を後進作業位置にして作業する際、走行機体が傾斜することなく走行することができて、精度の良い整畦作業が行えるようにした畦塗り機を提供することを目的とする。
【課題を解決するための手段】
【０００７】
上記の目的を達成するために本発明の畦塗り機は、以下の構成を特徴としている。
Ａ．走行機体に装着され、該走行機体から動力を受けて作動する作業部を設け、該作業部は一つの機体に、元畦の一部及び圃場を耕耘して元畦側に畦状に盛り上げる前処理体と、該前処理体により盛り上げられた土壌を回転しながら畦に成形するドラム状の整畦体と、を備えた畦塗り機において、
前記機体の後方側に、前処理体及び整畦体により形成された畦の底部に土を供給する土供給装置を配設した。
【０００８】
Ｂ．前記土供給装置を、土を畦の底部に向け寄せる排土板とした。
Ｃ．前記土供給装置を、耕耘した土を畦の底部に供給する耕耘部とした。
Ｄ．前記土供給装置を、上下調節可能とした。
【発明の効果】
【０００９】
イ．上記Ａ．の構成により、土供給装置によって前処理体及び整畦体により形成された畦の底部に土が供給されることにより、畦の底部へ水が浸入し難くなって畦が崩れるのを防止すると共に、畦の強度を増すことができる。また、畦の底部に土が供給されるのと同時に、畦の底部に沿って形成されている溝が埋められ、前処理体及び整畦体を後進作業位置にして作業する際、走行機体は傾斜することなく走行することができ、精度の良い整畦作業を行うことができる。
【００１０】
ロ．上記Ｂ．の構成により、排土板によって寄せられた土を前処理体及び整畦体により形成された畦の底部に対して供給し、また同時に、畦の底部に沿って形成されている溝を埋め戻すことができる。
ハ．上記Ｃ．の構成により、耕耘部により耕耘された土を、前処理体及び整畦体により形成された畦の底部に対して供給し、また同時に、畦の底部に沿って形成されている溝を埋め戻すことができる。
ニ．上記Ｄ．の構成により、土供給装置を上下調節することにより、前処理体及び整畦体により形成された畦の底部、及び畦の底部に沿って形成されている溝を埋め戻す土の量及び高さを適切に調節することができる。
【発明を実施するための最良の形態】
【００１１】
以下、本発明を実施するための最良の形態について、添付の図面を参照しながら具体的に説明する。
図１は、本発明による畦塗り機の第１実施例における平面図である。図２は、同側面図である。図３は、同一部省略した背面図である。図４は、本発明による畦塗り機の第２実施例における一部省略した背面図である。図５は、本発明による畦塗り機の第３実施例における一部省略した背面図である。図６は、本発明による畦塗り機の第４実施例における一部省略した背面図である。
【実施例１】
【００１２】
図１〜図３において、本発明による第１実施例の畦塗り機１は、連結フレーム２の前部に設けたロアリンク連結部３，３及びトップマスト４を、図示省略したトラクタ（走行車体）の後部に設けられた左右一対のロアリンク及びトップリンクからなる３点リンクヒッチに連結されて昇降可能であり、水田圃場に導入されて整畦作業を行うものである。連結フレーム２の前部には、入力軸ケースから前側に入力軸５が突出しており、この入力軸５にトラクタのＰＴＯ軸からユニバーサルジョイント、伝動シャフトを介して動力が伝達される。連結フレーム２の後方に、左右一対の支持アーム６，６を介して、左右中央部に前記入力軸ケースや入力軸５を前後方向に支持する主フレーム７が支持されている。入力軸５の後端部は入力軸ケースから後方に突出していて、作業部側に動力を伝達する出力軸となっている。
【００１３】
前記主フレーム７の左右両側部と、作業部である前処理体８及び整畦体９を支持して、該前処理体８及び整畦体９に動力を伝達する伝動ケース１０を含む後フレーム１３との間を、左右一対の平行リンク１１，１２により連結している。そして、主フレーム７に対して前処理体８及び整畦体９を支持する後フレーム１３が、平行リンク１１，１２を介して水平方向に移動し、図１に示す前進作業位置にオフセットした状態から、前処理体８及び整畦体９がトラクタの後方位置に来る格納位置になるまで移動可能である。平行リンク１１の後フレーム１３側の支点１１ａと、平行リンク１２の長さ方向中間位置との間に、伸縮シリンダ状の調整ロッド１４が設けられている。この調整ロッド１４は、平行リンク１１，１２を介して前処理体８及び整畦体９を水平移動させてオフセット量を調整し、その調整位置に固定する調整位置決め機能と、前処理体８及び整畦体９を水平移動する際の平行リンク１１，１２の回動位置決め機能と、前処理体８及び整畦体９を前進作業位置及び格納位置にしたときの水平移動をロックする機能とを兼ね備えている。該調整ロッド１４は、油圧シリンダにしても良いものである。
【００１４】
前記主フレーム７に設けられた前記入力軸ケース及び入力軸５からなる入・出力部７ａと、後フレーム１３に設けられた作業部入力部１３ａとの間に、ユニバーサルジョイント及び伝動シャフトからなる伝動装置１５が介装され、トラクタから入力軸５に入力された動力を、伝動装置１５を介して作業部入力部１３ａに伝達し、伝動ケース１０を含む後フレーム１３を介して前処理体８及び整畦体９に動力を伝達して、これらを駆動して整畦作業を行うようにしている。
【００１５】
前記前処理体８はロータリ耕耘装置からなり、その耕耘軸を機体の進行方向と平行にかつ水平に軸支し、該耕耘軸の軸周に複数本の耕耘爪８ａ及び土寄せ板８ｂを放射方向に装着すると共に、その上方をカバー８ｃにより覆い、耕耘爪８ａ及び土寄せ板８ｂにより元畦の一部及び圃場を耕耘して畦状に盛り上げる機能を備えた従来周知のものと同様のものである。また、前記整畦体９は、伝動ケース１０から後方に屈曲した伝動ケース、デフケース等を介して動力を受けて、多面の整畦面が偏心しながら回転して畦法面を叩いて畦に成形する多面体ドラム９ａを取付け、この多面体ドラム９ａのドラム中心の基部に畦の頂部を平らに形成する水平円筒部９ｂを一体的に取付けてカバー９ｃにより覆っている。この水平円筒部９ｂには、外側に向け延長部が取付け可能であり、従来周知のものと同様のものである。該整畦体９を支持し、動力を伝達する整畦体支持フレーム１３ｂには、整畦体９全体の上下高さを調節可能にした整畦体上下調節装置１７を設けている。
【００１６】
ここで本発明においては、機体の後方側に設けられている前記整畦体支持フレーム１３ｂの端部に、前処理体８及び整畦体９により形成された畦の底部に向け耕耘した土を供給する土供給装置としてのディスクプラウ１８を配設している。該ディスクプラウ１８は、上下調節装置１８ａの下端部に支持されていて、上下調節装置１８ａの上端部に設けた回転ハンドルを回転することにより耕耘深さが調節され、畦の底部に向け供給する土の量を調節可能にしている。前記後フレーム１３の前処理体８及び整畦体９を支持した側と反対側の端部に、作業部全体の上下高さ（作業深さ）を調節するコールタ状の作業深さ調節輪１９が設けられている。この作業深さ調節輪１９も、前記上下調節装置１８ａと同様の上下調節装置１９ａの下端部に支持されていて、上下調節装置１９ａの上端部に設けた回転ハンドルを回転することにより作業部全体の作業深さが調節される。図１において、符号２０は作業部の前後方向の水平レベルを表示する作業部前後方向水準器、２１は作業部の左右方向の水平レベルを表示する作業部左右方向水準器であり、後フレーム１３の上面に並設されている。
【実施例２】
【００１７】
図４に示す本発明による畦塗り機１の第２実施例のものは、上記図１〜図３に示される第１実施例における土供給装置としてのディスクプラウ１８及び上下調節装置１８ａに代えて、ストレートの鋤タイプ排土板２２及び上下調節装置２２ａを装着したものである。その他の構成は、第１実施例のものと同じである。そして、排土板２２により斜め側方に向け押し出された土は、前処理体８及び整畦体９により形成された畦の底部に向けて供給される。
【実施例３】
【００１８】
図５に示す本発明による畦塗り機１の第３実施例のものは、上記図１〜図３に示される第１実施例における土供給装置としてのディスクプラウ１８及び上下調節装置１８ａ、または図４に示される第２実施例における土供給装置としての排土板２２及び上下調節装置２２ａに代えて、曲面からなる鋤タイプ排土板２３及び上下調節装置２３ａを装着したものである。その他の構成は、第１実施例及び第２実施例のものと同じである。そして、排土板２３により斜め側方に向け押し出された土は、前処理体８及び整畦体９により形成された畦の底部に向けて供給される。
【実施例４】
【００１９】
図６に示す本発明による畦塗り機１の第４実施例のものは、上記図１〜図３に示される第１実施例における土供給装置としてのディスクプラウ１８及び上下調節装置１８ａ、または図４に示される第２実施例における土供給装置としての排土板２２及び上下調節装置２２ａ、あるいは図５に示される第３実施例における土供給装置としての排土板２３及び上下調節装置２３ａに代えて、ロータリ耕耘部２４及び上下調節装置２４ａを装着したものである。その他の構成は、第１実施例、第２実施例、及び第３実施例のものと同じである。そして、ロータリ耕耘部２４により耕耘されて斜め側方に向け放出された土は、前処理体８及び整畦体９により形成された畦の底部に供給される。
【００２０】
このような構成の畦塗り機１においては、図示しないトラクタの後部に３点リンクのロアリンクがロアリンク連結部３に、トップリンクがトップマスト４にそれぞれ連結され、トラクタのＰＴＯ軸からユニバーサルジョイント，伝動軸、ユニバーサルジョイントを介して入力軸５に動力が伝達される。トラクタ及び畦塗り機１が道路や圃場通路を移動するときには、前処理体８及び整畦体９を格納位置にしておく。この状態では、平行リンク１１，１２の回動が調整ロッド１４により規制され、前処理体８及び整畦体９の水平移動が阻止され、畦塗り機１は安定した状態で移動できる。
【００２１】
畦塗り機１を格納状態から図１の前進作業状態に切り換えて整畦作業を行うときは、調整ロッド１４のロックを解除し、平行リンク１１，１２を回動させて前処理体８及び整畦体９を水平移動させ、前進作業状態にまで移動（オフセット）させる。この平行リンク１１，１２の回動に伴って調整ロッド１４も伸縮する。そして、前処理体８及び整畦体９が前進作業位置に達したとき、調整ロッド１４をロック状態にして平行リンク１１，１２の回動を阻止し、前処理体８及び整畦体９は左右水平方向に移動しなくなる。前処理体８及び整畦体９全体の作業深さの調整はトラクタの３点リンクによって行うこともできるが、作業深さ調節輪１９を上下調節装置１９ａによって上下動させて行う。また、整畦体９の作業深さを調節するときは、整畦体上下調節装置１７によって行う。前処理体８及び整畦体９は、作業姿勢を前後左右に水平を保って作業することが好ましいが、その調整を行うときは、作業部前後方向水準器２０及び作業部左右方向水準器２１が用いられる。そして、トラクタの走行と共に前処理体８及び整畦体９を駆動させて整畦作業が行われる。
【００２２】
本発明においては、機体の後方側に、土供給装置としてのディスクプラウ１８，排土板２２，２３、ロータリ耕耘部２４などを配設しているので、前処理体８及び整畦体９により形成された畦の底部及び前処理体８により掘られた連続した溝に対して土が供給され、畦の底部へ水が浸入し難くなって畦が崩れるのを防止し、畦の強度を増大させる。また、畦の底部に沿って形成されている溝が埋められ、前処理体８及び整畦体９を後進作業位置にして後進しながら整畦作業をする形式の畦塗り機においては、トラクタが傾斜することなく走行することができ、前処理体８及び整畦体９の作業精度が向上する。
【産業上の利用可能性】
【００２３】
本発明の畦塗り機１により、前処理体８及び整畦体９により形成された畦の底部及び前処理体８により形成される連続した溝に対して、土供給装置により土が供給され、畦の底部への水の浸入が阻止されて畦が崩れるのを防止する。また、畦の底部に沿って形成されている溝が埋められ、前処理体８及び整畦体９を後進作業位置にして後進しながら整畦作業を行う形式の畦塗り機においては、走行機体が傾斜することなく走行し、前処理体８及び整畦体９の作業精度を向上させることができる。
【図面の簡単な説明】
【００２４】
【図１】本発明による畦塗り機の第１実施例（土供給装置としてディスクプラウを使用）の平面図である。
【図２】同側面図である。
【図３】同一部省略した背面図である。
【図４】本発明による畦塗り機の第２実施例（土供給装置としてストレートの鋤タイプ排土板を使用）における一部省略した背面図である。
【図５】本発明による畦塗り機の第３実施例（土供給装置として曲面からなる鋤タイプ排土板を使用）における一部省略した背面図である。
【図６】本発明による畦塗り機の第４実施例（土供給装置としてロータリ耕耘機構を使用）における一部省略した背面図である。
【符号の説明】
【００２５】
１  畦塗り機
２  連結フレーム
３  ロアリンク連結部
４  トップマスト
５  入力軸
６  支持アーム
７  主フレーム  ７ａ  入・出力部
８  前処理体  ８ａ  耕耘爪  ８ｂ  土寄せ板  ８ｃ  カバー
９  整畦体  ９ａ  多面体ドラム  ９ｂ  水平円筒部  ９ｃ  カバー
１０  伝動ケース
１１，１２  平行リンク  １１ａ  後フレーム側支点
１３  後フレーム  １３ａ  作業部入力部  １３ｂ  整畦体支持フレーム
１４  調整ロッド
１５  伝動装置
１７  整畦体上下調節装置
１８  ディスクプラウ（土供給装置）  １８ａ  ディスクプラウ上下調節装置
１９  作業深さ調節輪  １９ａ  作業深さ調節輪上下調節装置
２０  作業部の前後方向水準器
２１  作業部の左右方向水準器
２２  ストレートの鋤タイプ排土板  ２２ａ  排土板上下調節装置
２３  曲面からなる鋤タイプ排土板  ２３ａ  排土板上下調節装置
２４  ロータリ耕耘部  ２４ａ  ロータリ耕耘部上下調節装置
【図１】
2005065655.tif 000003
【図２】
2005065655.tif 000004
【図３】
2005065655.tif 000005
【図４】
2005065655.tif 000006
【図５】
2005065655.tif 000007
【図６】
2005065655.tif 000008